(57)【要約】【課題】車両加速時には、アクセルペダル規定値以上踏込んでも加速度制限を実施して燃料噴射量を抑制し、登坂路等の出力を必要とする時には加速度制限を解除して、車両の走行性と省燃費を図った車両の走行制御装置の提供を目的とする。【解決手段】加速度を制御する走行制御装置において、車両速度検知手段と、アクセル開度検知手段と、車速度検知手段とアクセル開度検知手段の検知に基づいて、車両の加速度を制限する加速度制限制御手段と、該加速度制限制御手段によって燃料噴射量を制御する燃料噴射制御手段と、を備え、加速度制限制御手段は、エコモードスイッチのＯＮ操作にて加速度制限制御手段を作動させる制御作動部２２と、車速Ｖに応じた目標加速度を設定する加速度制限設定部２１と、加速度αが車速Ｖに応じた目標加速度αｏより大きい場合には、アクセル開度Ａを制限するアクセル開度制限部２４とを有したことを特徴とする。【選択図】図１
2015068271.tif 000002
【特許請求の範囲】
【請求項１】
車両の加速度を制御する車両の走行制御装置において、
前記車両の速度を検知する車両速度検知手段と、
前記車両のアクセル開度を検知するアクセル開度検知手段と、
前記車速度検知手段と前記アクセル開度検知手段の検知に基づいて、前記車両の加速度を制限する加速度制限制御手段と、
前記加速度制限制御手段の制御信号に基づいて、前記車両の内燃機関への燃料噴射量を制御する燃料噴射制御手段と、を備え、
前記加速度制限制御手段は、前記車両の省燃費走行を実施するためのエコモードスイッチがＯＮ操作された場合に、前記加速度制限制御手段を作動させる制御作動部と、
前記車両の車速に応じた加速度制限値を設定する加速度制限設定部と、
前記車両の加速度が車速に応じた前記加速度制限値より大きい場合には、アクセル開度を制限するアクセル開度制限部と、を有していることを特徴とする車両の走行制御装置。
【請求項２】
登坂路等において、所定の加速度が得られない場合には前記アクセル開度制限部のアクセル開度の制限をゆるめることを特徴とする請求項１記載の車両の走行制御装置。
【発明の詳細な説明】
【技術分野】
【０００１】
本発明は、車両の走行制御装置に係り、特に、目標車速に対する加速度の上限を規定して、走行燃費の向上を図った車両の走行制御装置に関する。
【背景技術】
【０００２】
目標車速に対する加速度の上限を規定して発進加速又は通常走行において、省燃費で走行することが望まれている。
特に、運転初心者においては、必要以上にアクセルペダルを踏込んで、急加速急停車などを繰返し、ベテランドライバーに対して燃料消費量が多くなる傾向を有している。
車両加速時の省燃費運転を目指した技術として特許文献１が開示されている。
【０００３】
特許文献１によると、目標車速に対する加速度の上限を規定して定速走行又は追従走行を行うクルーズコントロール走行手段と、ドライバーからの低燃費走行指示手段と、低燃費走行指示があった場合には、低燃費走行指示の無い場合に比べ、目標車速に対する最大加速度を低減する手段を有した技術が開示されている。
【０００４】
このようにすることで、低燃費走行指示があった場合には、低燃費走行指示の無い場合に比べ低燃費向上を図っている。
【先行技術文献】
【特許文献】
【０００５】
【特許文献１】特開２００９−７３３９０号公報
【発明の概要】
【発明が解決しようとする課題】
【０００６】
特許文献1の場合、車両総重量に対して、エンジン出力の割合が大きい場合には、坂道等において、ドライバーの指示通りに走行できる。
しかし、エンジン出力が大きいことは、一般走行において余裕のある（無駄を含んだ）出力にて車両を走行させている。
従って、余裕のある分、燃料を多く消費していることになり、省燃費効果が少なくなる。
【０００７】
本発明はかかる技術的課題に鑑み、車両加速時には、アクセルペダルを規定値以上踏込んでも加速度制限を実施して燃料噴射量を抑制し、登坂路等の出力を必要とする時には加速度制限を解除して、車両の走行性と省燃費を図った車両の走行制御装置の提供を目的とする。
【課題を解決するための手段】
【０００８】
車両の加速度を制御する車両の走行制御装置において、
前記車両の速度を検知する車両速度検知手段と、
前記車両のアクセル開度を検知するアクセル開度検知手段と、
前記車速度検知手段と前記アクセル開度検知手段の検知に基づいて、前記車両の加速度を制限する加速度制限制御手段と、
前記加速度制限制御手段の制御信号に基づいて、前記車両の内燃機関への燃料噴射量を制御する燃料噴射制御手段と、を備え、
前記加速度制限制御手段は、前記車両の省燃費走行を実施するためのエコモードスイッチがＯＮ操作された場合に、前記加速度制限制御手段を作動させる制御作動部と、
前記車両の車速に応じた加速度制限値を設定する加速度制限設定部と、
前記車両の加速度が車速に応じた前記加速度制限値より大きい場合には、アクセル開度を制限するアクセル開度制限部と、を有していることを特徴とする車両の走行制御装置を提供できる。
【０００９】
かかる発明によれば、必要以上のアクセルペダル踏込み操作をしても、滑らかな加速を行うように制御することで、省燃費走行が可能となる。
【００１０】
また、本発明において好ましくは、登坂路等において、所定の加速度が得られない場合には前記アクセル開度制限部のアクセル開度の制限をゆるめるとよい。
【００１１】
かかる発明によれば、登坂路又は、重積載時等において、所定の速度を必要とする時に、アクセル開度の制限を弛めることで、ドライバーの苛立ちを解消して、疲労軽減および安全運転の効果が得られる。
【発明の効果】
【００１２】
かかる発明によれば、車両加速時には、アクセルペダルを規定値以上踏込んでも加速度制限を実施して燃料噴射量を抑制し、登坂路等の出力を必要とする時には加速度制限を解除して、車両の走行性と省燃費を図った車両の走行制御装置の提供が可能となる。
【図面の簡単な説明】
【００１３】
【図１】本発明の実施形態にかかる全体を模式的に表した構成図を示す。
【図２】本発明の実施形態にかかる制御の概略ロジック図を示す。
【図３】（Ａ）は本発明の車速に対する加速度制限値の一例を示すマップＡ、（Ｂ）は目標加速度と実加速度との差に対するアクセル開度補正量の一例をマップＢに示す。
【図４】本発明の実施形態にかかる制御フロー図を示す。
【発明を実施するための形態】
【００１４】
以下、本発明に係る実施形態について図面を用いて説明する。
但し、この実施形態に記載されている構成部品の寸法、材質、その相対配置などはとくに特定的な記載がない限り、この発明の範囲をそれのみに限定する趣旨ではなく、単なる説明例にすぎない。
【００１５】
図１は、本発明の実施形態にかかり、全体の構成図を模式的に表したものである。
本発明は、車両に搭載されエンジンの運転を制御するエンジン制御装置（以後、ＥＮＧ制御装置と称す）１と、該ＥＮＧ制御装置１に入力される、ドライバーのアクセルペダル踏込み量を検知するアクセル開度検知手段であるアクセル開度センサ１１と、オートマチックトランスミッション（以後、ＡＴＭ装置と称す）３の出力軸の回転数を検知する回転数センサ１２と、ドライバーが省燃費走行を希望する際に操作するＥｃｏスイッチ１３と、エンジン制御装置１によって制御されるＡＴＭ装置３と、エンジンへの燃料噴射量を制御される燃料噴射装置５と、を備えている。
【００１６】
ＥＮＧ制御装置１は、ＡＴＭ装置３の出力軸の回転数に基づいて車両速度を算出する車両速度検出手段である速度検出部７と、該速度検出部７とアクセル開度センサ１１とに基づいて車両の加速度を制限制御する加速度制限制御手段２と、該加速度制限制御手段２の出力に基づいて、燃料噴射量を制御する燃料噴射制御部６とを備えている。
【００１７】
加速度制限制御手段２は、ドライバーが加速するため必要以上にアクセルペダルを踏込んだ場合に、省燃費運転を行うために、指定値アクセル開度Ａｏに制限するアクセル開度制限部２４と、速度検出部7からの信号に基づいて車両の加速度を算出する加速度検出部２３と、Ｅｃｏスイッチ１３からのＯＮ信号に基づいて、加速度制限制御手段２を作動させる制御作動手段である制御作動部２２と、アクセル開度制限部２４、速度検出部７、及び加速度検出部２３からの信号に基づいて、制御後のアクセル開度を出力する加速度制限設定部２１と、を備えている。
【００１８】
加速度制限設定部２１は、制御後のアクセル開度Ａを燃料噴射制御手段である燃料噴射制御部６と、ＡＴＭ３に出力する。
燃料噴射制御部６は、加速度制限設定部２１からの出力制御信号に基づいて、燃料噴射装置５に対して燃料噴射量制御の実施を行う。
【００１９】
図２は、本発明の実施形態にかかる加速度制限設定部２１における制御の概略ロジック図を示す。
図２のＡ列は、アクセル開度Ａの補正量を求める。
即ち、車速Ｖとアクセル開度Ａに基づいてマップから目標加速度αｔをマップＡによって求める。
マップＡは、図３に示すように、車速Ｖ（ｋｍ／ｈ）に対して、車両前後方向加速度α（ｍ／ｓ２）を示したものである。
そして、車速Ｖとアクセル開度Ａから生じた車両前後加速度αを求めたものである。
この目標加速度αｔの特性は、所定地域における多数のドライバーによって実施した省燃費走行の結果であり、運転感覚的にも満足する目標値を車速毎に求めたとなっている。
目標加速度αｔは、車速の遅い部分で高く車速が速い部分で低くなる特性になっている。
また、目標加速度αｔは、ドライバーのアクセルペダルの踏込み量によって目標加速度αｔの上側、又は下側になる。
従って、目標加速度αｔの上側は加速度大領域となり、目標加速度αｔの下側は加速度適性領域となる。
【００２０】
目標加速度αｔが求められると、次の段階で車速から実加速度αが求められる。
次の段階で、目標加速度αｔ−実加速度αが比較され、車速に対応したアクセル開度Ａの補正量をマップＢから求める。
即ち、目標加速度αｔ−実加速度α＞０の場合は、実加速度αが目標度加速度αｔになっていないことを示す。
従って、アクセル開度Ａの補正量はマップに基づいてプラス方向に補正される。
マップＢは、目標加速度αｔ−実加速度αに対して、アクセル開度の補正量Ａｍが求められている。
一方、目標加速度αｔ−実加速度α＜０の場合は、無補正となる。
【００２１】
Ｂ列は、アクセル開度Ａとアクセル開度指定値Ａｏを比較している。
即ち、アクセル開度Ａ≧アクセル開度指定値Ａｏの場合は、アクセル開度Ａの方が大きくなっており、出力はアクセル開度指定値Ａｏとする。
アクセル開度Ａ＜アクセル開度指定値Ａｏの場合は、アクセル開度指定値Ａｏに対してアクセル開度Ａが小さくなっており、実アクセル開度のまま（補正無し）出力する。
最終段階で、Ａ列及びＢ列を併合して、制御されたアクセル開度Ａが出力される。
【００２２】
加速度制限制御手段２の制御方法について、図４に沿って説明する。
ステップＳ１において、Ｅｃｏスイッチ１３をＯＮ操作して、加速度制限制御手段２の制御が作動する。
ステップＳ２において、実アクセル開度Ａ≧アクセル開度指定値Ａｏか否かを判断する。
アクセル開度指定値Ａｏは、ドライバーが加速するためにアクセルペダルを踏込んだ量に対して、省燃費運転をするために制御装置内で一定以上の踏込み量を認めない（アクセル開度制限部２４）とするアクセル開度のことである。
従って、ステップＳ２において、ドライバーがアクセル開度指定値Ａｏ以上のアクセルペダルの踏込みを行ったかを判断している。
Ｙｅｓの場合ステップＳ３に進む。
【００２３】
ステップＳ２において、Ｎｏが選択された場合には、ドライバーに急加速、つまり必要以上の加速を要求した荒い運転の意志がないものと判断し、車両は通常の状態、即ち、アクセル開度に制限がかからない通常の運行が継続され、ステップＳ２を繰返す。
【００２４】
ステップＳ３において、アクセル開度をアクセル開度指定値Ａｏに保持する。
これは、加速度制限設定部２１は、制御上におけるアクセル開度Ａをアクセル開度指定値Ａｏに保持することである。
ステップＳ４において、実加速度α＜目標加速度αｏか否かを判断する。
実加速度αが目標加速度αｏに達していない場合はＹｅｓを選択してステップＳ５に進む。
ステップＳ５において、実加速度αを目標加速度αｏにするためにアクセル開度Ａを増加側に補正する。
また、ステップＳ４において、実加速度α＞目標加速度αｏの場合には、必要以上の加速度で走行していると判断され、ステップＳ７に進む。
【００２５】
ステップＳ６において、アクセル開度Ａを増加側に補正した結果を確認するため再度、実加速度α＞目標加速度αｏを判断する。
即ち、登坂路等において、アクセル開度Ａを増加側に補正したが、目標加速度αｏに達しているかを判断している。
従って、実加速度α＜目標加速度αｏの場合は、Ｎｏを選択してステップＳ５に戻り、ステップＳ５とステップＳ６を繰返して実加速度αの加速度を上げる制御を繰返している。
この場合、加速度制限設定部２１は、アクセル開度制限部２４の制限を解除して、エンジンの出力を増加させる。
【００２６】
ステップＳ６において、実加速度α＞目標加速度αｏになるとステップＳ７に進み、車両は省燃費運転に移行し、適度の実加速度αを維持しながらアクセル開度Ａを減少側に補正する。
ステップＳ８でリターンする。
【００２７】
このようにすることで、一般的な走行を行った場合、初心者でもベテランドライバーと同じような省燃費運転、適度な加速度運転が可能となる。
また、登坂時等の、登坂駆動力が必要な際は、アクセル開度制限部の制限を解除して、必要に応じた出力を得ることができる。
【産業上の利用可能性】
【００２８】
目標車速に対する加速度の上限を規定して、走行燃費の向上を図った車両の走行制御装置に利用できる。
【符号の説明】
【００２９】
１        エンジン制御装置
２        加速度制限制御手段
５        燃料噴射装置
６        燃料噴射制御部
７        速度検出部
１１      アクセル開度センサ
１２      回転数センサ
１３      Ｅｃｏスイッチ
２１      加速度制限設定部
２２      制御作動部
２３      加速度検出部
２４      アクセル開度制御部
【図１】
2015068271.tif 000003
【図２】
2015068271.tif 000004
【図３】
2015068271.tif 000005
【図４】
2015068271.tif 000006